(57)【要約】【課題】乳児の胴体の前側と後側に光を送る光線療法デバイスおよびシステムを提供する。【解決手段】光源により出射された光を乳児に送るための光線療法デバイス。光線療法デバイスは、コネクタを介して光源に光学的に接続されるように構成された２つ以上の光パッドを含む。光源により出射された光は、コネクタにより受光され、コネクタを通じて光パッドに伝搬される。光線療法デバイスは、さらに、乳児の前側と後側にパッドの位置を維持するように構成された柔軟性衣服を含む。【選択図】図１
2021516123.tif 000002
【特許請求の範囲】
【請求項１】
光源（１８）により出射された光を乳児（２０）に送るための光線療法デバイスであって、前記デバイスは、
コネクタ（１６）を介して前記光源（１８）に光学的に接続されるように構成された少なくとも２つの個別の発光パッド（１４）であって、前記光源（１８）により出射された前記光が、前記コネクタ（１６）の近傍端（２２）で受光され、前記コネクタ（１６）を通じて前記少なくとも２つの個別の発光パッド（１４）に伝搬され、前記少なくとも２つの個別の発光パッド（１４）により出射されるように構成され、前側発光パッド（１４ａ）および後側発光パッド（１４ｂ）を含む、前記少なくとも２つの個別の発光パッド１４と、
前記乳児（２０）および前記少なくとも２つの個別の発光パッド（１４）を受容する柔軟性衣服（１２）であって、前記乳児（２０）に対して前記少なくとも２つのパッド（１４）の位置を維持するように構成された前記柔軟性衣服（１２）と、を備え、
前記柔軟性衣服（１２）は、前面部（３２）および背面部（３４）を含み、
前記柔軟性衣服（１２）の前記前面部（３２）は、前記乳児（２０）が前記柔軟性衣服（１２）に受容されたときに前記乳児（２０）の胸部に隣接配置されるように構成され、
前記柔軟性衣服（１２）の前記背面部（３４）は、前記乳児（２０）が前記柔軟性衣服（１２）に受容されたときに前記乳児（２０）の背中に隣接配置されるように構成され、
前記前側発光パッド（１４ａ）の位置は、前記前側発光パッド（１４ａ）が前記柔軟性衣服（１２）により受容されたときに前記柔軟性衣服（１２）の前記前面部（３２）において前記柔軟性衣服により維持され、
前記後側発光パッド（１４ｂ）の位置は、前記後側発光パッド（１４ｂ）が前記柔軟性衣服（１２）により受容されたときに前記柔軟性衣服（１２）の前記背面部（３４）において前記柔軟性衣服により維持される、
光線療法デバイス。
【請求項２】
前記発光パッド（１４）は、前記光源（１８）の単一出力ポート（４０）に光学的に接続されている、
請求項１に記載の光線療法デバイス。
【請求項３】
前記コネクタ（１６）は、複数の分岐（４４）を含む導光部（４２）を備え、前記複数の分岐（４４）のそれぞれが前記２つの個別の発光パッド１４の対応する１つで終端している、
請求項２に記載の光線療法デバイス。
【請求項４】
前記導光部（４２）は、複数の光ファイバ（４６）を含み、前記コネクタ（１６）は、さらに、前記光源（１８）に直接接続するように構成されたカプラ（５０）を備え、
前記カプラ（５０）は、
前記複数の光ファイバ（４６）を結合するフェルール（５２）と、
前記複数の光ファイバから熱を引き抜くために前記フェルール（５２）に熱的に接続されたヒートシンク（５４）と、を含む、
請求項３に記載の光線療法デバイス。
【請求項５】
前記カプラは、さらに、前記光源（１８）の出力に近接配置された磁石（５８）と磁性的に相互作用するように構成された磁性材料（６２）からなる末端片（５６）を含み、
前記ヒートシンク（５４）は、前記末端片（５６）に熱的に接続されている、
請求項４に記載の光線療法デバイス。
【請求項６】
前記ヒートシンク（５４）は、前記磁性材料（６２）に熱的に接続された非磁性材料（６０）であって、前記磁性材料（６２）により受けた熱が前記非磁性材料（６０）に伝わるように構成された前記非磁性材料（６０）からなる、
請求項５に記載の光線療法デバイス。
【請求項７】
前記磁性材料（６２）は、スチールからなり、前記非磁性材料（６０）は、アルミニウムからなる、
請求項６に記載の光線療法デバイス。
【請求項８】
前記発光パッドは、発光面（６６）を介して光を出射する、平面構造に配置された前記導光部（４２）の遠方端（２４）からなる、
請求項１〜７のいずれかに記載の光線療法デバイス。
【請求項９】
前記発光パッドは、さらに、前記発光面（６６）に対向配置された反射部（６８）を含み、前記反射部（６８）は、前記光源（１８）により出射された少なくとも一つの波長の光を前記発光面（６６）に向けて反射するように構成されている、
請求項８に記載の光線療法デバイス。
【請求項１０】
前記少なくとも２つの発光パッド（１４）は、前記少なくとも２つの個別の発光パッド（１４）により出射された光に対して透明なカバー（７２）により保護された発光材料（７０）からなる、
請求項１〜９のいずれかに記載の光線療法デバイス。
【請求項１１】
前記少なくとも２つの個別の発光パッドのそれぞれは、前記少なくとも２つの個別の発光パッド（１４）により出射された光に対して不透明な背面（７４）および／または端縁（７６）を含む、
請求項１〜１０のいずれかに記載の光線療法デバイス。
【請求項１２】
前記柔軟性衣服（１２）は、前記乳児（２０）を巻くように構成された柔軟性カバーからなる、
請求項１〜１１のいずれかに記載の光線療法デバイス。
【請求項１３】
前記柔軟性衣服（１２）は、前記柔軟性衣服（１２）の前面部（３２）に配置された前側ポケット（８２ａ）および前記柔軟性衣服（１２）の前記背面部（３４）に配置された後側ポケット（８２ｂ）を含む少なくとも２つのポケット（８２）を含み、
前記少なくとも２つのポケット（８２）のそれぞれは、前記発光パッド１４の少なくとも１つの位置を受容して維持するように構成され、
前記前側発光パッド（１４ａ）の前記位置は、前記前側ポケット（８２ａ）により維持され、
前記後側発光パッド（１４ｂ）の前記位置は、前記後側ポケット（８２ｂ）により維持されている、
請求項１に記載の光線療法デバイス。
【請求項１４】
前記少なくとも２つのポケット（８２）のそれぞれは、
外壁（９０）と、前記外壁（９０）の反対に配置された内壁（９２）と、を含み、
前記内壁（９２）は、前記乳児（２０）と前記ポケット（８２）により受容された前記少なくとも１つの発光パッド（１４）との間に配置され、
前記内壁（９２）は、前記ポケット（８２）により受容された前記少なくとも１つの発光パッド（１４）により出射される光に対して少なくとも部分的に透明である、
請求項１３に記載の光線療法デバイス。
【請求項１５】
前記少なくとも２つのポケット（８２）のそれぞれは、それぞれのポケット（８２）に前記受容された少なくとも１つの発光パッド（１４）の位置を維持するための締結構造（９４）を含む、
請求項１３または１４に記載の光線療法デバイス。
【請求項１６】
前記柔軟性衣服（１２）は、袋部（１００）を含み、前記袋部（１００）は、
閉じられた下部端縁（１０２）と、
前記乳児（２０）が前記柔軟性衣服（１２）に受容されたときに前記乳児（２０）の首が通る穴（１０６）を含む部分的に閉じられた上部（１０４）と、
前記乳児（２０）が前記柔軟性衣服（１２）に受容されたときに前記乳児（２０）の腕が通るアームホール（１１０）を含む部分的に閉じられた２つの側部（１０８）と、を備える、
請求項１〜１５のいずれかに記載の光線療法デバイス。
【請求項１７】
前記袋部（１００）は、さらに、前面（１１４）および背面（１１６）を含み、前記前面（１１４）は、開口（１１８）と、前記前面（１１４）の開口（１１８）を閉じるように構成された閉塞機構（１２０）とを含む、
請求項１６に記載の光線療法デバイス。
【請求項１８】
前記柔軟性衣服（１２）は、さらに、前記乳児（２０）のまわりに巻かれ且つ前記乳児（２０）をくるむように構成されたラップ（８０）を含み、
前記ラップ（８０）は、下面（１２６）の反対に配置された上面（１２４）を含み、
前記ラップの前記下面（１２６）は、前記乳児が前記柔軟性衣服（１２）に受容され且つ前記乳児（２０）が前記ラップ（８０）により包まれたときに前記乳児（２０）に対面し、
前記下面（１２６）は、第１ファスナー（１３０）を有し、
前記上面（１２４）は、前記第１ファスナー（１３０）に解除可能にかみ合う第２ファスナー（１３２）を有する、
請求項１６または１７に記載の光線療法デバイス。
【請求項１９】
前記ラップ（８０）は、前記乳児（２０）が前記ラップ（８０）によりくるまれたときに前記乳児（２０）のあごに最も近く且つ直下の前記ラップ（８０）の端縁（１３６）が前記乳児（２０）の前記あごから離れるように形成された輪郭を有し、
前記ラップ（８０）の前記輪郭および前記アームホール（１１０）は、前記乳児（２０）が前記柔軟性衣服（１２）に受容され且つ前記乳児（２０）が前記ラップ（８０）によりくるまれたときに前記ラップ（８０）および前記袋部（１００）が前記乳児（２０）の口を覆うのを防止する、
請求項１８に記載の光線療法デバイス。
【請求項２０】
前記ラップ（８０）は、第３ファスナー（１４０）を介して前記袋部（８０）に解除可能に取り付く、
請求項１８に記載の光線療法デバイス。
【請求項２１】
さらに、頭部片（１４２）を備え、
前記下部発光パッドは、頭部発光パッド（１４４）を含み、
前記頭部片（１４２）は、前記頭部発光パッド（１４４）を受容するための区画（１４６）を含む、
請求項１〜２０のいずれかに記載の光線療法デバイス。
【請求項２２】
前記頭部発光パッド（１４４）は、後側発光パッド（１４ｂ）の一部分からなる、
請求項２１に記載の光線療法デバイス。
【請求項２３】
前記頭部片は、さらに、前記柔軟性衣服（１４）に前記頭部片（１４２）を解除可能に取り付けるための第４ファスナー（１４８）を含む、
請求項２２に記載の光線療法デバイス。
【請求項２４】
前記乳児（２０）および前記少なくとも２つのパッド（１４）の両方が前記柔軟性衣類（１２）により受容されたとき、前記発光パッド（１４）により出射された光が前記乳児（２０）の胴体を照らす、
請求項１〜２３のいずれかに記載の光線療法デバイス。
【請求項２５】
前記少なくとも２つの個別の発光パッド（１４）は、３つの発光パッドを備える、
請求項１〜２４のいずれかに記載の光線療法デバイス。
【請求項２６】
前記３つの発光パッド（１４）は、右前側発光パッド（１４ａ２）と、左前側発光パッド（１４ａ１）と、後側発光パッド（１４ｂ）とを含み、
前記柔軟性衣服（１２）は、
前面部（３２）および背面部（３４）と、
前記柔軟性衣服（１２）の左前側に配置された左前側ポケット（８２ａ１）と、前記柔軟性衣服（１２）の右前側に配置された右前側ポケット（８２ａ２）と、前記柔軟性衣服（１２）の背面部（３４）に配置された後側ポケット（８２ｂ）とを含む３つのポケット（８２）と、を含み、
前記左前側発光パッド（１４ａ１）の位置は、前記左前側発光パッド（１４ａ１）が前記柔軟性衣服（１２）により受容されたとき前記左前側ポケット（８２ａ１）により前記柔軟性衣服（１２）の前記左前側において前記柔軟性衣服により維持され、
前記右前側発光パッド（１４ａ２）の位置は、前記右前側発光パッド（１４ａ２）が前記柔軟性衣服（１２）により受容されたとき前記右前側ポケット（８２ａ２）により前記柔軟性衣服（１２）の前記右前側において前記柔軟性衣服により維持され、
前記後側発光パッド（１４ｂ）の位置は、前記後側発光パッド（１４ｂ）が前記柔軟性衣服（１２）に受容されたとき前記後側ポケット（８２ｂ）により前記柔軟性衣服（１２）の背面部（３４）において前記柔軟性衣服により維持される、
請求項２５に記載の光線療法デバイス。
【請求項２７】
少なくとも１つの発光ダイオード（ＬＥＤ）（１５０）を含む光源（１８）と、
請求項１〜２６のいずれかに記載の光線療法デバイス（１０）と、を備えるシステム（８）。
【請求項２８】
前記光源（１８）は、さらに、前記パッド（１４）を介して前記乳児（２０）に送られる光の線量を調節するように構成されたコントローラ（１５２）を含む、
請求項２７に記載のシステム。
【請求項２９】
前記光源（１８）は、前記乳児（２０）の黄疸を治療するための治療的有効量を提供するように前記線量を調節するように構成されたコントローラ（１５２）を含む、
請求項２７または２８に記載のシステム。
【請求項３０】
前記光源（１８）は、
電磁的干渉を発生する複数の電気部品（１６０）と、
複数のインダクタ（１６２）および複数の位置決め器（１６４）と、を含み、
前記複数の位置決め器（１６４）のそれぞれは、
前記複数のインダクタ（１６２）の１つを受け入れ、
前記受け入れたインダクタ（１６２）の位置を、前記複数の電気部品（１６０）のうちの特定の電気部品（１６０）に対する特定の位置に維持して、前記特定の電気部品（１６０）により発生された前記電磁的干渉が前記受け入れたインダクタ（１６２）により吸収されるようにしている、
請求項２７〜２９のいずれかに記載のシステム。
【請求項３１】
さらに、前記複数の電気部品（１６０）のための構造支持部（１６８）を備え、
前記複数の位置決め器（１６４）のそれぞれは、前記複数の電気部品（１６０）のための前記構造支持部（１６８）に一体化されたモールド片からなる、
請求項３０に記載のシステム。
【請求項３２】
乳児（２０）および少なくとも２つの個別の発光パッド（１４）を受容し、前記乳児（２０）に対する前記少なくとも２つの個別の発光パッド（１４）の位置を維持するように構成された柔軟性衣服（１２）であって、
前記乳児（２０）が前記柔軟性衣服（１２）に受容されたときに前記乳児（２０）の胸部に隣接配置されるように構成された前面部（３２）と、
前記乳児（２０）が前記柔軟性衣服（１２）に受容されたときに前記乳児（２０）の背中に隣接配置されるように構成された背面部（３４）と、
前記柔軟性衣服（１２）の前記前面部（３２）に配置された前側ポケット（８２ａ）および前記柔軟性衣服（１２）の前記背面部（３４）に配置された後側ポケット（８２ｂ）を含む少なくとも２つのポケット（８２）と、を備え、
前記少なくとも２つのポケット（８２）のそれぞれは、
少なくとも１つの前記発光パッド（１４）の位置を受容して維持し、
外壁（９２）と、前記外壁（９２）の反対に配置された内壁（９０）と、を含み、
前記内壁（９０）は、前記乳児（２０）と前記ポケット（８２）により受容された前記少なくとも１つの発光パッド（１４）との間に配置され、
前記内壁（９０）は、光に対して少なくとも部分的に透明である、
柔軟性衣服。
【請求項３３】
前記少なくとも２つのポケット（８２）のそれぞれは、それぞれのポケット（８２）に前記受容された少なくとも１つの発光パッド（１４）の位置を維持するための締結機構（９４）を含む、
請求項３２に記載の柔軟性衣服。
【請求項３４】
さらに、頭部片（１４２）を備え、
前記少なくとも２つのパッド（１４）は、頭部発光パッド（１４４）を含み、
前記頭部片（１４２）は、前記頭部発光パッド（１４４）を受容するための区画（１４６）を含む、
請求項３２または３３に記載の柔軟性衣服。
【請求項３５】
前記柔軟性衣服（２０）は、さらに、前記乳児（２０）のまわりに巻かれ且つ前記乳児（２０）をくるむように構成されたラップ（８０）を含み、
前記ラップ（８０）は、下面（１２６）の反対に配置された上面（１２４）を含み、
前記ラップ（８０）の前記下面（１２６）は、前記乳児（２０）が前記柔軟性衣服（１２）に受容され且つ前記乳児（２０）が前記ラップ（８０）によりくるまれたときに前記乳児（２０）に対面し、
前記下面（１２６）は、第１ファスナー（１３０）を有し、
前記上面（１２４）は、前記第１ファスナー（１３０）に解除可能にかみ合う第２ファスナー（１３２）を有する、
請求項３２〜３４のいずれかに記載の柔軟性衣服。
【請求項３６】
導光部（４２）および光源（１８）に光学的に接続し、前記光源（１８）により出射された光が前記導光部（１４２）に受光され伝搬されるように構成されたコネクタ（１６）であって、
前記光源（１８）に直接接続するカプラ（５０）を備え、
前記カプラ（５０）は、
前記光源（１８）の出力に近接配置された磁石（５８）と磁性的に相互作用するように構成された磁性材料（６２）と、
前記磁性材料（６２）に熱的に接続された非磁性材料（６０）であって、前記磁性材料（６２）により受けた前記光源（１８）からの熱が前記非磁性材料（６０）に伝わるように構成された前記非磁性材料（６０）と、を含む、
コネクタ。
【請求項３７】
光を出射する発光部（１５０）と、
電磁的干渉を発生する複数の電気部品（１６０）と、
複数のインダクタ（１６２）および複数の位置決め器（１６４）と、を備え、
前記複数の位置決め器（１６４）のそれぞれは、
前記複数のインダクタ（１６２）の一つを受け入れ、
前記受け入れたインダクタ（１６２）の位置を、前記複数の電気部品（１６０）のうちの特定の電気部品（１６０）に対する特定の位置に維持して、前記特定の電気部品（１６０）により発生された前記電磁的干渉が前記受け入れたインダクタ（１６２）により吸収されるようにしている、
光源（１８）。
【請求項３８】
光源（１８）により出射された光を送るための光線療法デバイス（１０）であって、
コネクタ（１６）を介して前記光源（１８）に光学的に接続されるように構成された少なくとも２つの個別の発光パッド（１４）を備え、前記光源（１８）により出射された前記光が、前記コネクタ（１６）の近傍端（２２）で受光され、複数の分岐（４４）に分割された前記コネクタ（１６）の遠方端（２４）に前記コネクタを通じて伝搬され、前記少なくとも２つの個別の発光パッド（１４）により出射されるように構成され、
前記コネクタ（１６）は、複数の分岐（４４）を含む導光部（４２）を備え、前記複数の分岐（４４）のそれぞれは前記２つの個別の発光パッド（１４）の対応する１つで終端している、
光線療法デバイス。
【発明の詳細な説明】
【技術分野】
【０００１】
本開示は、概略、乳児の胴体の前側と後側に光を送る光線療法デバイスおよびシステムに関する。
【背景技術】
【０００２】
黄疸を含む種々の病気に対して新生児を治療するために以前から光線療法が利用されている。黄疸は乳児の血中ビリルビンの増大により生じる。ある種の光を乳児の肌に曝すことで、安全なレベルにビリルビンを急低下させることができる。
【０００３】
特に満期出産乳児の黄疸治療では、治療中に乳児をくるんだり、授乳したりできないことが周知の問題である。黄疸治療は、通常、乳児の肌を上方からの照明（ビリルビンを腎臓で通常ろ過可能な他の分子へと変換する光）に曝す処理を伴うため、乳児の胴体は露出され且つむき出しになる。赤ん坊は、往々にして布でくるまれていないとき、恐怖を覚えたり、腕を振り回したり、泣き叫んだりする。結果、親または看護師は、黄疸レベルが高いままというリスクをおかして、治療を早期に切り上げることになる。
【発明の概要】
【０００４】
新生児室では、赤ん坊の両腕の動きを制限すると同時に、光の中で赤ん坊を全体的に布でくるみ、正常な胎児のときの姿勢または包まれた（くるまれたともいう）姿勢で赤ん坊をより心地よくすることが好ましいであろう。赤ん坊に対する発光部の位置を維持することにより、赤ん坊に保護アイパッチ（eye patches）を装着する必要性もなくすことができる。
【０００５】
柔軟性衣服内に挿入された複数の柔軟な発光パッドを利用することにより、光線療法中に赤ん坊をくるむことができる。治療に有効な適切な線量で赤ん坊の胴体の全周を曝す十分な光を提供可能な外部光源を利用して発光パッドに光を提供することにより、乳児をくるむと同時に光線療法を実施できる。
【０００６】
複数の発光パッド１４を利用することにより、従来では２つの光線療法（例えば、上方の１つのデバイスおよび下方の１つのファイバ光学パッド）でしか実現できなかった、乳児の胴体の全周３６０度のカバレッジを実現できる。分岐コネクタ１６を使用することにより、単一光源を利用した光線療法治療を実施することもできる。
【０００７】
本開示は、２以上の光パッドと、それらのパッドの位置を乳児の前側および後側に維持する柔軟性衣服とを含む光線療法デバイスを提供する。この光線療法デバイスにより、乳児は、乳児の前側および後側への光線療法治療を同時に受けつつ、くるまれることができる。
【０００８】
本開示は、また、分岐コネクタを介して光源の単一出力ポートに光学的に接続された２以上のパッドを含む光線療法デバイスを提供する。
【０００９】
本開示は、さらに、光源への接続を維持するための磁性材料と、磁性材料に熱的に接続されてヒートシンクとして働く非磁性材料とを有する光学コネクタを提供する。
【００１０】
本開示は、さらに、電気部品により発生された電磁的干渉を吸収するように配置されたインダクタを含む光源を提供する。
【００１１】
本明細書では、多くの特徴が本発明の実施形態に関して記述されているが、特定の実施形態に関して記述された特徴は、他の実施形態にも採用され得る。以下の記述および添付図面は、本発明のいくつかの例示的実施形態を説明している。これらの実施形態は、本発明の原理が採用され得る種々の方法のいくつかを示しているに過ぎない。本発明の種々の観点による他の目的、利点および新規な特徴は、図面とともに勘案されて、以下の詳細な説明から明らかになるであろう。
【図面の簡単な説明】
【００１２】
添付図面は、必ずしも縮尺は正しくなく、本発明の種々の観点を示し、類似の参照番号は種々の図面内の同一または類似の部品を示すように使用されている。
【図１】図１は、光線療法システムの例示的実施形態であり、発光パッドが柔軟性衣服の外部に配置されている。
【図２】図２は、図１の光線療法システムの例示的実施形態において、発光パッドが柔軟性衣服のポケット内に配置されている。
【図３】図３は、異なるサイズの２つの柔軟性衣服の前面を示す。
【図４】図４は、例示的柔軟性衣服の背面部を示す。
【図５】図５は、柔軟性衣服のポケット内に部分的に位置する発光パッドを示す。
【図６】図６は、柔軟性衣服のポケット内に部分的に位置する発光パッドを示す。
【図７】図７は、柔軟性衣服のポケットおよびポケットを閉じるための締結機構を示す。
【図８】図８は、柔軟性衣服のポケットおよびポケットを閉じるための締結機構を示す。
【図９】図９は、柔軟性衣服のポケットおよびポケットを閉じるための締結機構を示す。
【図１０】図１０は、柔軟性衣服内に配置された乳児を示す。
【図１１】図１１は、柔軟性衣服内に配置された乳児を示す。
【図１２】図１２は、頭部片を含む柔軟性衣服の袋部を示す。
【図１３】図１３は、頭部片を含む柔軟性衣服の袋部を示す。
【図１４】図１４は、ラップ（wrap）を含む柔軟性衣服を示す。
【図１５】図１５は、ラップを含む柔軟性衣服を示す。
【図１６】図１６は、柔軟性衣服内にくるまれている乳児を示す。
【図１７】図１７は、柔軟性衣服内にくるまれている乳児を示す。
【図１８】図１８は、柔軟性衣服のラップの輪郭部分を示す。
【図１９】図１９は、頭部片を含む柔軟性衣類の背面を示す。
【図２０】図２０は、頭部片を含む柔軟性衣類の背面を示す。
【図２１】図２１は、３つの発光パッドを含む光線療法デバイスの例示的実施形態である。
【図２２】図２２は、光源の正面図である。
【図２３】図２３は、光を出射する発光パッドを有する光源に接続された光線療法デバイスを示す。
【図２４】図２４は、コネクタおよび発光パッドの概要図である。
【図２５】図２５は、発光パッドの概要図である。
【図２６】図２６は、コネクタのカプラの展開図である。
【図２７】図２７は、カプラの部分透過側面図である。
【図２８】図２８は、カプラの端面図である。
【図２９】図２９は、光源の概要図である。
【図３０】図３０は、光源の内部部品の概要図である。
【図３１】図３１は、光源の内部部品の概要図である。
【図３２】図３２は、光源の内部部品の概要図である。
【発明を実施するための形態】
【００１３】
以下、図面を参照しながら本発明を詳細に説明する。図面では、参照番号を伴う各要素は、その参照番号に付された添字とは無関係に、同一の参照番号を伴う他の要素と類似である。文章では、特定の添字が付された参照番号は、その参照番号およびその添字を伴う特定の要素を参照し、特定の添字が付されていない参照番号は、参照番号に付された添字とは無関係に、同一の参照番号を伴う全ての要素を参照する。
【００１４】
本発明は、光源から出射された光を乳児に送るための光線療法デバイスを提供する。光線療法デバイスは、コネクタを介して光源に光学的に接続されるように構成された２以上の光パッドを含む。光源により出射された光は、コネクタにより受光され、コネクタを通じて光パッドに伝搬される。光線療法デバイスは、また、乳児の前側および後側にそれらのパッドの位置を維持するように構成された柔軟性衣服を含む。
【００１５】
図１および図２には、光線療法デバイス１０と光源１８とを含む例示的光線療法システム８が示されている。光線療法デバイス１０は、柔軟性衣服１２と、少なくとも２つの個別の発光パッド１４とを含む。発光パッドは、コネクタ１６を介して光源１８に光学的に接続されるように構成されている。発光パッド１４は、柔軟性衣服１２により、乳児２０に対する位置に維持されている。
【００１６】
発光パッド１４は、コネクタ１６を介して光源１８に光学的に接続されるように構成されている。光源１８により出射された光は、コネクタ１６の近傍端２２において受光される。この光は、コネクタ１６を通じて発光パッド１４に伝搬され、発光パッド１４により出射される。
【００１７】
引き続き図１を参照して、発光パッド１４は、少なくとも１つの前側発光パッド１４ａと、後側発光パッド１４ｂとを含む。例えば、光線療法デバイス１０は、左前側発光パッド１４ａ１と、右前側発光パッド１４ａ２と、後側発光パッド１４ｂの、３つの発光パッド１４を含んでいてもよい。
【００１８】
図３および図４には、異なるサイズの２つの柔軟性衣服１２が示されている。柔軟性衣服１２は、乳児２０および発光パッド１４を受容するように構成されている。例えば、柔軟性衣服１２は、乳児２０を巻くように構成された柔軟性カバーであってもよい。柔軟性衣服１２は、あらゆる適切な素材からなり得る。例えば、柔軟性衣服１２は、綿とナイロンまたは他の適切なポリマーとの混紡生地からなるものとしてもよい。
【００１９】
例示として、柔軟性衣服１２は、２層以上の織物、あるいは、使い捨ての場合、２層以上の紡績された紙状の素材（spun woven paper-like material）からなるものとしてもよい。乳児が柔軟性衣服１２に受容されているときに乳児の肌に接触する柔軟性衣服１２の部分は、比較的光を通す柔らかい織物状素材からなるものとしてもよい。例えば、柔軟性衣服１２は、比較的薄くおよび／または緩く織られた第１布層（乳児の肌に接触するように構成されている）から作られてもよく、あるいは、布繊維自体が比較的透明または半透明で、光を通過させることができるものであってもよい。第１布層の反対に配置された第２布層は、柔軟性を増すためにキルト仕上げしてあってもよい。さらに、乳児の体温を維持するための断熱材として働く充填材が第１布層と第２布層との間に配置されてもよい。
【００２０】
図５および図６に示されるように、柔軟性衣服１２は、乳児２０に対して少なくとも２つのパッド１４の位置を維持するように構成されている（例えば、これにより乳児は胴体の前側および後側にかけて同時に光線療法を受ける）。柔軟性衣服１２は、前面部３２および背面部３４を含む。柔軟性衣服１２の前面部３２は、乳児２０が柔軟性衣服１２に受容されたときに乳児２０の胸部に隣接配置されるように構成されている。同様に、柔軟性衣服１２の背面部３４は、幼児２０が柔軟性衣服１２に受容されたときに乳児２０の背中に隣接配置されるように構成されている。
【００２１】
前側発光パッド１４ａの位置は、前側発光パッド１４ａが柔軟性衣服１２により受容されたときに柔軟性衣服１２の前面部３２において柔軟性衣服により維持される。同様に、後側発光パッド１４ｂの位置は、後側発光パッド１４ｂが柔軟性衣服１２により受容されたときに柔軟性衣服１２の背面部３４において柔軟性衣服により維持される。乳児２０および少なくとも２つのパッド１４が柔軟性衣服１２により受容されたとき、発光パッド１４により出射された光は、乳児２０の胴体を照らす。
【００２２】
図７〜図９に移り、発光パッド１４の位置は、柔軟性衣服１２内のポケット８２により維持されてもよい。例えば、柔軟性衣服１２は、柔軟性衣服１２の前面部３２に配置された前側ポケット８２ａと柔軟性衣服１２の背面部３４に配置された後側ポケット８２ｂとを含む少なくとも２つのポケット８２を含んでもよい。ポケット８２のそれぞれは、発光パッド１４の少なくとも１つの位置を受容し維持するように構成されていてもよい。すなわち、前側発光パッド１４ａの位置は、前側ポケット８２ａにより維持されてもよく、後側発光パッド１４ｂの位置は、後側ポケット８２ｂにより維持されてもよい。
【００２３】
ポケット８２のそれぞれは、外壁９０と、外壁９０の反対に配置された内壁９２とを含んでもよい。内壁９２は、乳児２０とポケット８２により受容された少なくとも１つの発光パッド１４との間に配置されてもよい。発光パッド１４からの光が乳児に到達するために、内壁９２はポケット８２により受容された少なくとも１つの発光パッド１４により出射された光に対して少なくとも部分的に透明であってもよい。例えば、内壁９２は、４５０ｎｍの波長を有する光に対して、少なくとも５０％、７０％、８５％または９０％の透明度であってもよい。
【００２４】
発光パッド１４から出射されて、乳児２０から離れる向きに柔軟性衣服１２から漏洩する光の量を低減するために、外壁９０は、ポケット８２により受容された少なくとも１つの発光パッド１４により出射された光に対して少なくとも部分的に不透明であってもよい。例えば、外壁９０は、４５０ｎｍの波長を有する光に対して、少なくとも５０％、７０％、８５％または９０％の不透明度であってもよい。
【００２５】
ポケット８２のそれぞれは、各ポケット８２に受容された発光パッド１４の位置を維持する締結機構９４を含んでもよい。例示として、図７〜図９に、異方性締結機構９４を伴う２つのポケットが示される。図７および図９では、テーパー形状の開口を伴うポケット８２が柔軟性衣服１２の前面部３２および背面部３４にそれぞれ示されている。図８では、非テーパー形状の開口を伴うポケット８２が柔軟性衣服１２の前面部３２に示されている。テーパー形状のポケットは、意図せず発光パッド１４がポケット８２から出てくる可能性を低減するかもしれない。発光パッド１４を非テーパー形状のポケットから挿抜するほうがより容易である可能性がある。
【００２６】
図７〜図９を引き続き参照して、柔軟性衣服１２は、３つのポケット８２、すなわち、柔軟性衣服１２の左前側に配置された左前側ポケット８２ａ１と、柔軟性衣服１２の右前側に配置された右前側ポケット８２ａ２と、柔軟性衣服１２の背面部３４に配置された後側ポケット８２ｂと、を含んでもよい。発光パッド１４が柔軟性衣服１２により受容されたとき、左前側発光パッド１４ａ１の位置は、左前側ポケット８２ａ１により柔軟性衣服１２の左前側において柔軟性衣服により維持されてもよく、右前側発光パッド１４ａ２の位置は、右前側ポケット８２ａ２により柔軟性衣服１２の右前側において柔軟性衣服により維持されてもよく、後側発光パッド１４ｂの位置は、同様に、後側ポケット８２ｂにより柔軟性衣服１２の背面部３４において柔軟性衣服により維持されてもよい。
【００２７】
図３に戻り、柔軟性衣服１２は、閉じられた下部端縁１０２と、部分的に閉じられた上部１０４と、２つの部分的に閉じられた側部１０８とを有する袋部１００を含んでもよい。図１０および図１１に示されるように、部分的に閉じられた上部１０４は、乳児２０が柔軟性衣服１２により受容されたときに乳児２０の首が通る穴１０６を含む。同様に、２つの部分的に閉じられた側部１０８は、乳児２０が柔軟性衣服１２に受容されたときに乳児２０の腕が通るアームホール１１０を含む。
【００２８】
図１２および図１３に示されるように、袋部１００は、さらに、前面１１４および背面１１６を含んでもよい。前面１１４は、開口１１８と、前面１１４の開口１１８を閉じるように構成された閉塞機構１２０とを含む。開口１８は、袋部１００内に乳児２０を配置するのに利用されてもよい。閉塞機構１２０は、開口１１８を閉じた状態に維持するためのあらゆる適切な構造の形態をとり得る。例えば、閉塞機構１２０は、１以上のスナップ、バックル、ベルクロ（登録商標）、クリップ、粘着テープ、ジッパーおよび／または紐からなることとしてもよい。
【００２９】
図１４〜図１７に移り、柔軟性衣服１２は、さらに、乳児２０のまわりに巻かれ且つ乳児２０をくるむように構成されたラップ８０（wrap）を含んでもよい。ラップ８０は、下面１２６の反対に配置された上面１２４を含む。ラップの下面１２６は、乳児が柔軟性衣服１２に受容され且つ乳児２０がラップ８０によりくるまれたときに、乳児２０に対面する。下面１２６は、第１ファスナー１３０を有し、上面１２４は第１ファスナー１３０に解除可能にかみ合うように構成された第２ファスナー１３２を有する。当業者により理解されるように、第１ファスナー１３０および第２ファスナー１３２は、ラップ８０の位置を維持するためのあらゆる適切な構造の形態をとり得る。例えば、第１ファスナー１３０および第２ファスナー１３２は、１以上のスナップ、バックル、ベルクロ（登録商標）、クリップ、粘着テープ、ジッパーおよび／または紐からなることとしてもよい。
【００３０】
ラップ８０は、第３ファスナー１４０を介して袋部８０に解除可能に取り付いてもよい。第３ファスナー１４０は、袋部８０にラップ８０を固定するためのあらゆる適切な構造の態様を取り得る。例えば、第３ファスナー１４０は、１以上のスナップ、バックル、ベルクロ（登録商標）、クリップ、粘着テープ、ジッパーおよび／または紐からなることとしてもよい。
【００３１】
発光パッド１４から出射され、乳児２０から離れる向きに柔軟性衣類１２から漏洩する光の量を低減するために、ラップ８０は、ポケット８２により受容された少なくとも１つの発光パッド１４により出射される光に対して少なくとも部分的に不透明であってもよい。例えば、ラップ８０は、４５０ｎｍの波長を有する光に対して、少なくとも５０％、７０％、８５％または９０％の不透明度であってもよい。
【００３２】
図１８に示されるように、ラップ８０は、乳児２０がラップによりくるまれたときに、乳児２０のあごに最も近く且つ直下のラップ８０の端縁１３６が乳児２０のあごから離れるように形成された輪郭を有してもよい。ラップ８０の輪郭およびアームホール１１０は、乳児２０が柔軟性衣服１２に受容され且つ乳児２０がラップ８０によりくるまれたときに、ラップ８０および袋部１００が乳児の口を覆うのを防止する。ラップ８０の輪郭は、乳児２０のあごから離れる形状のあらゆる適切な形状をとり得る。
【００３３】
図１９〜図２１に移り、光線療法デバイス１０は、さらに、頭部片１４２を含んでもよい。頭部片１４２は、乳児２０の首および後頭部に光線療法を適用する部分として利用されてもよい。光は、下部発光パッド１４ｂにより乳児の首および頭部に供給される。すなわち、下部発光パッド１４ｂは、頭部発光パッド１４４を含んでもよい。頭部発光パッド１４４は、別個の発光パッド１４でもよく、後側発光パッド１４ｂの一部であってもよい。例えば、別個の発光パッド１４の場合、頭部発光パッド１４４は、後側発光パッド１４ｂとは異なる分岐４４を介してコネクタ１６に個別に接続されてもよい。
【００３４】
頭部片１４２は、頭部発光パッド１４４を受容するための区画１４６を含む。区画１４６は、後側ポケット８２ｂの一部であってもよい。それに代えて、頭部片１４２は、柔軟性衣服１２に取り付けられた別個の部品であってもよい。例えば、頭部片は、柔軟性衣服１４に解除可能に頭部片１４２を取り付けるための第４ファスナー１４８を含んでもよい。この例では、区画１４６は、後側ポケット８２ｂから分離されていてもよい。例えば、後側ポケット８２ｂから分離されているとき、頭部発光パッド１４４は、後側発光パッド１４ｂから分離されていてもよい。
【００３５】
図２２および図２３に移り、発光パッド１４は、光源１８の単一出力ポート４０に光学的に接続されてもよい。発光パッド１４は、コネクタを介して光源１８の単一出力ポート４０から光を受ける。図２４に示されるように、コネクタ１６は、複数の分岐４４を有する導光部４２を含む。分岐４４のそれぞれは、対応する１つの発光パッド１４で終端する。当業者により理解されるように、本願で描かれた実施形態は、３つの発光パッド１４を示しているが、光線療法デバイス１０は、あらゆる適切な数量の発光パッド１４を含み得る。例えば、光線療法デバイス１０は、２つ、３つ、４つまたは５つの発光パッド１４を含んでもよい。発光パッド１４のそれぞれは、対応する１つのポケット８２に受容されてもよい。ポケット８２のそれぞれは、１以上の発光パッド１４を受容してもよい。
【００３６】
図２５に示されるように、発光パッド１４は、少なくとも２つの個別の発光パッド１４により出射された光に対して（少なくとも部分的に）透明なカバー７２により保護された発光物質７０を含んでもよい。例示として、発光パッド１４は、発光面６６を介して光を出射する、平面構造に配置された導光部４２の遠方端２４からなることとしてもよい。例えば、発光パッド１４は、パターン配置された（例えば、シート状に織られた）光ファイバおよび／または平坦導光部からなることとしてもよい。発光パッド１４のそれぞれは、さらに、少なくとも２つの個別の発光パッド１４により出射された光に対して不透明な背面７４および／または端面７６を含んでもよい。発光パッドは、さらに、発光面６６の反対に配置された反射部６８を含んでもよい。反射部６８は、光源１８により出射された少なくとも１つの波長の光を発光面６６に向けて反射するように構成されている。
【００３７】
図２６に移り、導光部４２は、複数の光ファイバ４６と、光ファイバ４６を結合するフェルール（ferrule）５２とを含んでもよい。コネクタ１６は、導光部４２の長さに沿って延在して保護するハウジングを含んでもよい。コネクタ１６は、光源１８に直接接続されるカプラ５０を含んでもよい。光源１８により出射された光がコネクタ１６に入射するので、カプラ５０および／またはフェルール５２付近に発熱が生じる。もしこの熱が取り除かれなければ、カプラ５０付近に配置された光ファイバ４６はその熱により損傷され得る。このため、カプラ５０は、フェルール５２に熱的に接続されて光ファイバ４６から熱を引き抜くように構成されたヒートシンク５４を含んでもよい。
【００３８】
導光部４２は、光源１８により出射され、コネクタ１６により受光された光が導光部４２に沿って全内部反射を介して伝搬されるような構造を有する、あらゆる適切な材料からなることとしてもよい。例えば、導光部４２は、導光部４２の長さに沿って略平行に延びた一組の光ファイバ（例えば、ガラスまたはプラスチックからなる）からなることとしてもよい。
【００３９】
カプラ５０は、さらに、光源１８の出力付近に配置された磁石５８に磁気的に相互作用するように構成された磁性材料６２を有する末端片５６を含んでもよい。このように、カプラ５０は、ユーザにとって最小限の労力で光源１８に接続され得る。ヒートシンク５４は、末端片５６に熱的に接続されていてもよい。
【００４０】
図２７および図２８に移り、ヒートシンク５４は、磁性材料６２により受熱された熱が非磁性材料６０に伝わるように、磁性材料６２に熱的に接続された非磁性材料６０を有してもよい。図示されたように、非磁性材料６０は、磁性材料６２よりも大きな質量および体積を有してもよい。磁性材料６２は、スチールであってもよく、非磁性材料６０は、アルミニウムであってもよい。当業者に理解されるように、磁性材料６２は、スチールに限定されず、あらゆる適切な材料からなることとしてもよい。同様に、非磁性材料６０は、アルミニウムに限定されず、あらゆる適切な非磁性材料６０からなることとしてもよい。
【００４１】
図２９に示されるように、光源１８は、発光部１５０と、コントローラ１５２とを含む。発光部１５０は、あらゆる適切な発光部、すなわち、白熱電球、ハロゲンランプ、キセノンランプ、メタルハライドランプ、発光ダイオード（LED）（有機発光ダイオード（OLED）およびポリマー発光ダイオード（PLED）を含む）、および、蛍光ランプ、からなることとしてもよい。例示として、発光部１５０は、少なくとも１つのＬＥＤであることとしてもよい。コントローラ１５２は、パッド１４を介して乳児２０に送られる光の線量を調整するように構成されている。例えば、光源１８は、光源１８により出射される光の量を直接測定するように構成されたセンサを含んでもよい。これに代えて、光源１８は、光源１８の測定された特性（例えば、温度、電流など）に基づいて光源１８により出射されている光の量を推定してもよい。光源１８は、光源１８により出射されている光の線量を制御するための発光部１５０の制御パラメータを調整するフィードバックとして、出射されている光の測定量または推定量を利用してもよい。例えば、コントローラ１５２は、乳児２０の黄疸を治療するための治療的有効量を提供するように線量を調整するように構成されていてもよい。
【００４２】
図２９〜図３２に移り、光源１８は、電磁的干渉を発生する複数の電気部品１６０を含む。例えば、複数の電気部品１６０は、コントローラ１５２、発光部１５０とコントローラ１５２に電力を提供する回路、などを含み得る。光源１８は、また、複数のインダクタ１６２および複数の位置決め器１６４を含んでもよい。位置決め器１６４のそれぞれは、インダクタ１６２の１つを受け入れ、受け入れたインダクタ１６２の位置を複数の電気部品１６０のうちの特定の電気部品１６０に対する特定の位置に維持するように構成されてもよい。特定の位置は、特定の電気部品１６０により発生された電磁的干渉が受け入れたインダクタ１６２により吸収されるように維持されてもよい。このように、インダクタ１６２および位置決め器１６４の組み合わせは、協働して、電源１８の電気部品１６０により生成された電磁的干渉を減少するように働く。例えば、インダクタ１６２は、電気部品１６０による電磁的干渉の排出を少なくとも２０％、４０％、５０％、７５％、９０％または９５％減少し得る。当業者により理解されるように、インダクタ１６２および位置決め器１６４は、光源の一部として説明されているが、インダクタ１６２および位置決め器１６４は、いずれかのデバイス内の電気部品１６０により発生された電磁的干渉を吸収するように利用されてもよい。
【００４３】
光源１８は、さらに、電気部品１６０のための構造支持部１６８を含んでもよい。位置決め器１６４のそれぞれは、電気部品１６０のための構造的支持部１６８に一体化されたモールド片からなることとしてもよい。
【００４４】
特段の言及がない限り、「および／または」は、１以上を含み、単数形のアイテムへの参照は複数のうちのそのアイテムを含み得る。
【００４５】
本発明は、ある実施形態または複数の実施形態に関して開示され且つ説明されているが、当業者は、本明細書および添付図面を読み且つ理解することで均等な代替及び変更を想到するであろう。特に上記要素（部品、アセンブリ、装置、組成など）により発揮される種々の機能に関して上記要素を表現するのに利用された用語（「手段」の参照を含む）は、特段の指定が無い限り、たとえそれがその機能を発揮するとして本発明の例示的実施形態または複数の実施形態で開示された構造物とは構造的には均等ではなくても、その説明された要素のその特定の機能を発揮するあらゆる要素に相当することを意図されている（すなわち、機能的均等）。さらに、本発明の特定の特徴が数例の実施形態のうちの１または複数の実施形態のみで説明されているかもしれないが、そのような特徴は、あらゆる任意または特定の応用に望まれ且つ利点を得るように、他の実施形態の１または複数の他の特徴と組み合わせ得る。
【図１】
2021516123.tif 000003
【図２】
2021516123.tif 000004
【図３】
2021516123.tif 000005
【図４】
2021516123.tif 000006
【図５】
2021516123.tif 000007
【図６】
2021516123.tif 000008
【図７】
2021516123.tif 000009
【図８】
2021516123.tif 000010
【図９】
2021516123.tif 000011
【図１０】
2021516123.tif 000012
【図１１】
2021516123.tif 000013
【図１２】
2021516123.tif 000014
【図１３】
2021516123.tif 000015
【図１４】
2021516123.tif 000016
【図１５】
2021516123.tif 000017
【図１６】
2021516123.tif 000018
【図１７】
2021516123.tif 000019
【図１８】
2021516123.tif 000020
【図１９】
2021516123.tif 000021
【図２０】
2021516123.tif 000022
【図２１】
2021516123.tif 000023
【図２２】
2021516123.tif 000024
【図２３】
2021516123.tif 000025
【図２４】
2021516123.tif 000026
【図２５】
2021516123.tif 000027
【図２６】
2021516123.tif 000028
【図２７】
2021516123.tif 000029
【図２８】
2021516123.tif 000030
【図２９】
2021516123.tif 000031
【図３０】
2021516123.tif 000032
【図３１】
2021516123.tif 000033
【図３２】
2021516123.tif 000034
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
光源（１８）により出射された光を乳児（２０）に送るための光線療法デバイスであって、前記デバイスは、
コネクタ（１６）を介して前記光源（１８）に光学的に接続されるように構成された少なくとも２つの個別の発光パッド（１４）であって、前記光源（１８）により出射された前記光が、前記コネクタ（１６）の近傍端（２２）で受光され、前記コネクタ（１６）を通じて前記少なくとも２つの個別の発光パッド（１４）に伝搬され、前記少なくとも２つの個別の発光パッド（１４）により出射されるように構成され、前側発光パッド（１４ａ）および後側発光パッド（１４ｂ）を含む、前記少なくとも２つの個別の発光パッド１４と、
前記乳児（２０）および前記少なくとも２つの個別の発光パッド（１４）を受容する柔軟性衣服（１２）であって、前記乳児（２０）に対して前記少なくとも２つのパッド（１４）の位置を維持するように構成された前記柔軟性衣服（１２）と、を備え、
前記柔軟性衣服（１２）は、前面部（３２）および背面部（３４）を含み、
前記柔軟性衣服（１２）の前記前面部（３２）は、前記乳児（２０）が前記柔軟性衣服（１２）に受容されたときに前記乳児（２０）の胸部に隣接配置されるように構成され、
前記柔軟性衣服（１２）の前記背面部（３４）は、前記乳児（２０）が前記柔軟性衣服（１２）に受容されたときに前記乳児（２０）の背中に隣接配置されるように構成され、
前記前側発光パッド（１４ａ）の位置は、前記前側発光パッド（１４ａ）が前記柔軟性衣服（１２）により受容されたときに前記柔軟性衣服（１２）の前記前面部（３２）において前記柔軟性衣服により維持され、
前記後側発光パッド（１４ｂ）の位置は、前記後側発光パッド（１４ｂ）が前記柔軟性衣服（１２）により受容されたときに前記柔軟性衣服（１２）の前記背面部（３４）において前記柔軟性衣服により維持される、
光線療法デバイス。
【請求項２】
前記発光パッド（１４）は、前記光源（１８）の単一出力ポート（４０）に光学的に接続され、
前記コネクタ（１６）は、複数の分岐（４４）を含む導光部（４２）を備え、前記複数の分岐（４４）のそれぞれが前記２つの個別の発光パッド１４の対応する１つで終端してている、
請求項１に記載の光線療法デバイス。
【請求項３】
前記導光部（４２）は、複数の光ファイバ（４６）を含み、前記コネクタ（１６）は、さらに、前記光源（１８）に直接接続するように構成されたカプラ（５０）を備え、
前記カプラ（５０）は、
前記複数の光ファイバ（４６）を結合するフェルール（５２）と、
前記複数の光ファイバから熱を引き抜くために前記フェルール（５２）に熱的に接続されたヒートシンク（５４）と、を含む、
請求項２に記載の光線療法デバイス。
【請求項４】
前記カプラは、さらに、前記光源（１８）の出力に近接配置された磁石（５８）と磁性的に相互作用するように構成された磁性材料（６２）からなる末端片（５６）を含み、
前記ヒートシンク（５４）は、前記末端片（５６）に熱的に接続されている、
請求項３に記載の光線療法デバイス。
【請求項５】
前記ヒートシンク（５４）は、好ましくはスチールの前記磁性材料（６２）に熱的に接続された好ましくはアルミニウムの非磁性材料（６０）であって、前記磁性材料（６２）により受けた熱が前記非磁性材料（６０）に伝わるように構成された前記非磁性材料（６０）からなる、
請求項４に記載の光線療法デバイス。
【請求項６】
前記発光パッドは、発光面（６６）を介して光を出射する、平面構造に配置された前記導光部（４２）の遠方端（２４）からなる、
請求項１〜５のいずれかに記載の光線療法デバイス。
【請求項７】
前記発光パッドは、さらに、前記発光面（６６）に対向配置された反射部（６８）を含み、前記反射部（６８）は、前記光源（１８）により出射された少なくとも一つの波長の光を前記発光面（６６）に向けて反射するように構成されている、
請求項６に記載の光線療法デバイス。
【請求項８】
前記少なくとも２つの発光パッド（１４）は、前記少なくとも２つの個別の発光パッド（１４）により出射された光に対して透明なカバー（７２）により保護された発光材料（７０）からなる、または、
前記少なくとも２つの個別の発光パッドのそれぞれは、前記少なくとも２つの個別の発光パッド（１４）により出射された光に対して不透明な背面（７４）および／または端縁（７６）を含む、または、
前記柔軟性衣服（１２）は、前記乳児（２０）を巻くように構成された柔軟性カバーからなる、
請求項１〜７のいずれかに記載の光線療法デバイス。
【請求項９】
前記柔軟性衣服（１２）は、前記柔軟性衣服（１２）の前面部（３２）に配置された前側ポケット（８２ａ）および前記柔軟性衣服（１２）の前記背面部（３４）に配置された後側ポケット（８２ｂ）を含む少なくとも２つのポケット（８２）を含み、
前記少なくとも２つのポケット（８２）のそれぞれは、前記発光パッド１４の少なくとも１つの位置を受容して維持するように構成され、
前記前側発光パッド（１４ａ）の前記位置は、前記前側ポケット（８２ａ）により維持され、
前記後側発光パッド（１４ｂ）の前記位置は、前記後側ポケット（８２ｂ）により維持されている、
請求項１に記載の光線療法デバイス。
【請求項１０】
前記柔軟性衣服（１２）は、袋部（１００）を含み、前記袋部（１００）は、
閉じられた下部端縁（１０２）と、
前記乳児（２０）が前記柔軟性衣服（１２）に受容されたときに前記乳児（２０）の首が通る穴（１０６）を含む部分的に閉じられた上部（１０４）と、
前記乳児（２０）が前記柔軟性衣服（１２）に受容されたときに前記乳児（２０）の腕が通るアームホール（１１０）を含む部分的に閉じられた２つの側部（１０８）と、を備える、
請求項１〜９のいずれかに記載の光線療法デバイス。
【請求項１１】
前記袋部（１００）は、さらに、前面（１１４）および背面（１１６）を含み、前記前面（１１４）は、開口（１１８）と、前記前面（１１４）の開口（１１８）を閉じるように構成された閉塞機構（１２０）とを含む、
請求項１０に記載の光線療法デバイス。
【請求項１２】
前記柔軟性衣服（１２）は、さらに、前記乳児（２０）のまわりに巻かれ且つ前記乳児（２０）をくるむように構成されたラップ（８０）を含み、
前記ラップ（８０）は、下面（１２６）の反対に配置された上面（１２４）を含み、
前記ラップの前記下面（１２６）は、前記乳児が前記柔軟性衣服（１２）に受容され且つ前記乳児（２０）が前記ラップ（８０）により包まれたときに前記乳児（２０）に対面し、
前記下面（１２６）は、第１ファスナー（１３０）を有し、
前記上面（１２４）は、前記第１ファスナー（１３０）に解除可能にかみ合う第２ファスナー（１３２）を有する、
請求項１０または１１に記載の光線療法デバイス。
【請求項１３】
前記ラップ（８０）は、前記乳児（２０）が前記ラップ（８０）によりくるまれたときに前記乳児（２０）のあごに最も近く且つ直下の前記ラップ（８０）の端縁（１３６）が前記乳児（２０）の前記あごから離れるように形成された輪郭を有し、
前記ラップ（８０）の前記輪郭および前記アームホール（１１０）は、前記乳児（２０）が前記柔軟性衣服（１２）に受容され且つ前記乳児（２０）が前記ラップ（８０）によりくるまれたときに前記ラップ（８０）および前記袋部（１００）が前記乳児（２０）の口を覆うのを防止する、
請求項１２に記載の光線療法デバイス。
【請求項１４】
さらに、頭部片（１４２）を備え、
前記下部発光パッドは、好ましくは後側発光パッド（１４ｂ）の一部分からなる頭部発光パッド（１４４）を含み、前記頭部片（１４２）は、前記頭部発光パッド（１４４）を受容するための区画（１４６）を含む、または、
前記乳児（２０）および前記少なくとも２つのパッド（１４）の両方が前記柔軟性衣類（１２）により受容されたとき、前記発光パッド（１４）により出射された光が前記乳児（２０）の胴体を照らす、または、
前記少なくとも２つの個別の発光パッド（１４）は、３つの発光パッドを備える、
請求項１〜１３のいずれかに記載の光線療法デバイス。
【請求項１５】
前記３つの発光パッド（１４）は、右前側発光パッド（１４ａ２）と、左前側発光パッド（１４ａ１）と、後側発光パッド（１４ｂ）とを含み、
前記柔軟性衣服（１２）は、
前面部（３２）および背面部（３４）と、
前記柔軟性衣服（１２）の左前側に配置された左前側ポケット（８２ａ１）と、前記柔軟性衣服（１２）の右前側に配置された右前側ポケット（８２ａ２）と、前記柔軟性衣服（１２）の背面部（３４）に配置された後側ポケット（８２ｂ）とを含む３つのポケット（８２）と、を含み、
前記左前側発光パッド（１４ａ１）の位置は、前記左前側発光パッド（１４ａ１）が前記柔軟性衣服（１２）により受容されたとき前記左前側ポケット（８２ａ１）により前記柔軟性衣服（１２）の前記左前側において前記柔軟性衣服により維持され、
前記右前側発光パッド（１４ａ２）の位置は、前記右前側発光パッド（１４ａ２）が前記柔軟性衣服（１２）により受容されたとき前記右前側ポケット（８２ａ２）により前記柔軟性衣服（１２）の前記右前側において前記柔軟性衣服により維持され、
前記後側発光パッド（１４ｂ）の位置は、前記後側発光パッド（１４ｂ）が前記柔軟性衣服（１２）に受容されたとき前記後側ポケット（８２ｂ）により前記柔軟性衣服（１２）の背面部（３４）において前記柔軟性衣服により維持される、
請求項１４に記載の光線療法デバイス。
【国際調査報告】
2021516123.tif 000035
2021516123.tif 000036
2021516123.tif 000037
2021516123.tif 000038